(57)【要約】      （修正有）【課題】ディスプレイ装置およびそのメッセージ伝達方法を提供する。【解決手段】ディスプレイ装置のメッセージ伝達方法は、ユーザの予め設定された命令が入力されると（Ｓ１０１０）、メッセージ生成ＵＩをディスプレイし（Ｓ１０２０）、メッセージ生成ＵＩを用いて、メッセージ内容およびメッセージ伝達対象を含むメッセージ情報を登録し（Ｓ１０３０）、メッセージ伝達対象が認識されると（Ｓ１０４０）、メッセージ内容を出力する（Ｓ１０５０）。それにより、ユーザは、ディスプレイ装置を通じて、家族構成員間のコミュニケーション機能を行うことができるようになる。【選択図】図１０
2014099175.tif 000002
【特許請求の範囲】
【請求項１】
ディスプレイ装置のメッセージ伝達方法において、
ユーザの予め設定された命令が入力されると、メッセージ生成第１のＵＩをディスプレイするステップと、
前記メッセージ生成第１のＵＩを用いて、メッセージ内容およびメッセージ伝達対象を含むメッセージ情報を登録するステップと、
前記メッセージ伝達対象が認識されると、前記メッセージ内容を出力するステップと
を含むメッセージ伝達方法。
【請求項２】
前記出力するステップは、
前記メッセージ情報を登録した後に前記ディスプレイ装置の電源がオフされた場合、前記ディスプレイ装置の電源が最初にオンされると、新規メッセージをディスプレイするステップを更に含むことを特徴とする請求項１に記載のメッセージ伝達方法。
【請求項３】
前記出力するステップは、
複数の人物が認識され、前記複数の人物の中にメッセージ伝達対象以外の人物が含まれた場合、前記メッセージを出力する前に、前記メッセージが存在するかを報知するガイドメッセージを先にディスプレイするステップを含むことを特徴とする請求項１に記載のメッセージ伝達方法。
【請求項４】
前記出力するステップは、
前記ガイドメッセージを通じてメッセージ出力に対するユーザ命令が入力されると、前記メッセージ内容を出力するステップを含むことを特徴とする請求項３に記載のメッセージ伝達方法。
【請求項５】
前記出力するステップは、
複数のメッセージ伝達対象が認識された場合、前記複数のメッセージ伝達対象のそれぞれに対するメッセージ情報を選択することができる第２のＵＩをディスプレイするステップと、
前記第２のＵＩのうちの１つのメッセージ情報が選択されると、前記選択されたメッセージ情報のメッセージ内容を出力するステップと
を含むことを特徴とする請求項１に記載のメッセージ伝達方法。
【請求項６】
前記出力するステップは、
前記メッセージ情報を登録した後、映像がディスプレイされる間に前記メッセージ伝達対象が認識されると、前記映像がディスプレイされるディスプレイ画面の一領域にメッセージがあることをガイドするガイドメッセージをディスプレイするステップと、
前記ガイドメッセージを通じてメッセージ出力に対するユーザ命令が入力されると、前記メッセージ内容を出力するステップと
を含むことを特徴とする請求項１に記載のメッセージ伝達方法。
【請求項７】
前記出力するステップは、
前記メッセージ情報を登録した後にディスプレイ装置の電源がオフされた場合、前記メッセージ伝達対象が認識されると、前記メッセージ伝達対象に対するメッセージ情報をスライド形式でディスプレイするステップと、
ユーザ命令によって前記スライド形式のメッセージ情報のうちの１つが選択されると、前記選択されたメッセージ情報のメッセージ内容を出力するステップと
を含むことを特徴とする請求項１に記載のメッセージ伝達方法。
【請求項８】
前記認識するステップは、
顔認識、音声認識、暗証番号認識、指紋認識および眼球認識のうち少なくとも１つを用いて、前記メッセージ伝達対象を認識することを特徴とする請求項１に記載のメッセージ伝達方法。
【請求項９】
前記メッセージ生成第１のＵＩは、
前記メッセージ伝達対象を選択するための複数の人物イメージを含み、
前記登録するステップは、
前記メッセージ生成第１のＵＩの複数の人物イメージのうち少なくとも１つが選択されると、前記選択された少なくとも１つの人物イメージに対応する人物を前記メッセージ伝達対象として登録することを特徴とする請求項１に記載のメッセージ伝達方法。
【請求項１０】
前記登録するステップは、
音声認識または文字入力を通じて前記メッセージ伝達対象を登録することを特徴とする請求項１に記載のメッセージ伝達方法。
【請求項１１】
前記メッセージ内容は、
映像メッセージ、音声メッセージおよびテキストメッセージのうち、少なくとも１つを含むことを特徴とする請求項１に記載のメッセージ伝達方法。
【請求項１２】
ディスプレイ装置において、
映像およびＵＩをディスプレイするディスプレイ部と、
ユーザ命令を入力される入力部と、
メッセージ情報を保存する保存部と、
前記入力部を介してユーザの予め設定された命令が入力されると、メッセージ生成ＵＩをディスプレイするように前記ディスプレイ部を制御し、前記メッセージ生成ＵＩを用いて入力されたユーザ命令に従って、メッセージ内容およびメッセージ伝達対象を含むメッセージ情報を前記保存部に登録し、前記メッセージ伝達対象が認識されると、前記メッセージ内容をディスプレイするように前記ディスプレイ部を制御する制御部と
を含むディスプレイ装置。
【請求項１３】
前記制御部は、
前記メッセージ情報を登録した後に前記ディスプレイ装置の電源がオフされた場合、前記ディスプレイ装置の電源が最初にオンされると、新規メッセージをディスプレイするように前記ディスプレイ部を制御することを特徴とする請求項１２に記載のディスプレイ装置。
【請求項１４】
前記制御部は、
複数の人物が認識され、前記複数の人物の中にメッセージ伝達対象以外の人物が含まれた場合、前記メッセージ内容をディスプレイする前に、前記メッセージが存在するかを報知するガイドメッセージを先にディスプレイするように前記ディスプレイ部を制御することを特徴とする請求項１２に記載のディスプレイ装置。
【請求項１５】
前記制御部は、
前記ガイドメッセージを通じてメッセージ出力に対するユーザ命令が入力されると、前記メッセージ内容をディスプレイするように前記ディスプレイ部を制御することを特徴とする請求項１４に記載のディスプレイ装置。
【発明の詳細な説明】
【技術分野】
【０００１】
本発明は、ディスプレイ装置およびそのメッセージ伝達方法に関し、より詳細には、特定ユーザにメッセージを伝達することができるディスプレイ装置およびそのメッセージ伝達方法に関する。
【背景技術】
【０００２】
近来のディスプレイ装置は、従来の映像提供機能だけでなく、情報検索機能、おすすめ機能、通信機能等のような多様なスマート機能が採用されている。特に、１つのディスプレイ装置に多様な機能が盛り込まれることにより、ディスプレイ装置は多様な家族構成員が使用する機器になりつつある。
【０００３】
しかし、近来のディスプレイ装置は、外部とのコミュニケーション（例えば、テレビ電話）のみを提供することができるだけで、家族構成員の内部間のコミュニケーション機能を提供することができなかった。すなわち、テレビのようなディスプレイ装置は、全家族構成員が使用する機器であるものの、家族構成員間のメッセージ伝達機能を行うことができないという短所が存在していた。
【０００４】
よって、ディスプレイ装置を用いて、家族構成員の間のメッセージを伝達するための方策への模索が求められる。
【先行技術文献】
【特許文献】
【０００５】
【特許文献１】韓国登録特許第４８０、７１６号
【特許文献２】韓国登録特許第８２４、５４６号
【特許文献３】日本特開第２００５−０３１１９３８号公報
【特許文献４】韓国特開第２００１−００４６４５７号公報
【発明の概要】
【発明が解決しようとする課題】
【０００６】
そこで、本発明は、上記問題に鑑みてなされたものであり、上述の問題点を克服するものに限定されない。本発明の目的とするところは、メッセージ生成ＵＩを用いて、メッセージ内容およびメッセージ伝達対象を含むメッセージ情報を登録し、その後メッセージ伝達対象が認識されると、メッセージ伝達対象にメッセージ内容を出力するディスプレイ装置およびそのメッセージ伝達方法を提供することにある。
【課題を解決するための手段】
【０００７】
前記目的を達成するための本発明の一実施形態に係るディスプレイ装置のメッセージ伝達方法は、ユーザの予め設定された命令が入力されると、メッセージ生成ＵＩをディスプレイするステップと、前記メッセージ生成ＵＩを用いて、メッセージ内容およびメッセージ伝達対象を含むメッセージ情報を登録するステップと、前記メッセージ伝達対象が認識されると、前記メッセージ内容を出力するステップとを含む。
【０００８】
そして、前記メッセージ情報を登録した後、前記ディスプレイ装置の電源が最初にオンされると、新規メッセージをディスプレイするステップを更に含んでよい。
【０００９】
なお、前記出力するステップは、複数の人物が認識され、前記複数の人物の中にメッセージ伝達対象以外の人物が含まれた場合、前記メッセージが存在するかを報知するガイドメッセージを先にディスプレイするステップとを含んでよい。
【００１０】
そして、前記出力するステップは、前記ガイドメッセージを通じてメッセージ出力に対するユーザ命令が入力されると、前記メッセージ内容を出力するステップを含んでよい。
【００１１】
なお、前記出力するステップは、複数のメッセージ伝達対象が認識された場合、前記複数のメッセージ伝達対象のそれぞれに対するメッセージ情報を選択することができるＵＩをディスプレイするステップと、前記ＵＩのうちの１つのメッセージ情報が選択されると、前記選択されたメッセージ情報のメッセージ内容を出力するステップとを含んでよい。
【００１２】
そして、前記出力するステップは、前記メッセージ情報を登録した後、映像がディスプレイされる間に前記メッセージ伝達対象が認識されると、前記映像がディスプレイされるディスプレイ画面の一領域にメッセージがあることをガイドするガイドメッセージをディスプレイするステップと、前記ガイドメッセージを通じてメッセージ出力に対するユーザ命令が入力されると、前記メッセージ内容を出力するステップとを含んでよい。
【００１３】
なお、前記出力するステップは、前記メッセージ情報を登録した後にディスプレイ装置の電源がオフされた場合、前記メッセージ伝達対象が認識されると、前記メッセージ伝達対象に対するメッセージ情報をスライド形式でディスプレイするステップと、ユーザ命令によって前記スライド形式のメッセージ情報のうちの１つが選択されると、前記選択されたメッセージ情報のメッセージ内容を出力するステップとを含んでよい。
【００１４】
そして、前記認識するステップは、顔認識、音声認識、暗証番号認識、指紋認識および眼球認識のうち少なくとも１つを用いて、前記メッセージ伝達対象を認識してよい。
【００１５】
なお、前記メッセージ生成ＵＩは、前記メッセージ伝達対象を選択するための複数の人物イメージを含み、前記登録するステップは、前記メッセージ生成ＵＩの複数の人物イメージのうち少なくとも１つが選択されると、前記選択された少なくとも１つの人物イメージに対応する人物を前記メッセージ伝達対象として登録してよい。
【００１６】
そして、前記登録するステップは、音声認識または文字入力を通じて前記メッセージ伝達対象を登録してよい。
【００１７】
なお、前記メッセージ内容は、映像メッセージ、音声メッセージおよびテキストメッセージのうち、少なくとも１つを含んでよい。
【００１８】
一方、前記目的を達成するための本発明の一実施形態に係るディスプレイ装置は、映像およびＵＩをディスプレイするディスプレイ部と、ユーザ命令を入力される入力部と、メッセージ情報を保存する保存部と、前記入力部を介してユーザの予め設定された命令が入力されると、メッセージ生成ＵＩをディスプレイするように前記ディスプレイ部を制御し、前記メッセージ生成ＵＩを用いて入力されたユーザ命令に従って、メッセージ内容およびメッセージ伝達対象を含むメッセージ情報を前記保存部に登録し、前記メッセージ伝達対象が認識されると、前記メッセージ内容をディスプレイするように前記ディスプレイ部を制御する制御部とを含む。
【００１９】
そして、前記制御部は、前記メッセージ情報を登録した後、前記ディスプレイ装置の電源が最初にオンされると、新規メッセージをディスプレイするように前記ディスプレイ部を制御してよい。
【００２０】
なお、前記制御部は、複数の人物が認識され、前記複数の人物の中にメッセージ伝達対象以外の人物が含まれた場合、前記メッセージが存在するかを報知するガイドメッセージを先にディスプレイするように前記ディスプレイ部を制御してよい。
【００２１】
そして、前記制御部は、前記ガイドメッセージを通じてメッセージ出力に対するユーザ命令が入力されると、前記メッセージ内容をディスプレイするように前記ディスプレイ部を制御してよい。
【００２２】
なお、前記制御部は、複数のメッセージ伝達対象が認識された場合、前記複数のメッセージ伝達対象のそれぞれに対するメッセージ情報を選択することができるＵＩをディスプレイし、前記入力部を介して、前記ＵＩのうちの１つのメッセージ情報が選択されると、前記選択されたメッセージ情報のメッセージ内容をディスプレイするように前記ディスプレイ部を制御してよい。
【００２３】
そして、前記制御部は、前記メッセージ情報を登録した後、映像がディスプレイされる間に前記メッセージ伝達対象が認識されると、前記映像がディスプレイされるディスプレイ画面の一領域にメッセージがあることをガイドするガイドメッセージをディスプレイし、前記ガイドメッセージを通じてメッセージ出力に対するユーザ命令が入力されると、前記メッセージ内容をディスプレイするように前記ディスプレイ部を制御してよい。
【００２４】
なお、前記メッセージ情報を登録した後にディスプレイ装置の電源がオフされた場合、前記メッセージ伝達対象を認識するための構成の電源が印加され、前記制御部は、前記メッセージ情報を登録した後にディスプレイ装置の電源がオフされた場合、前記メッセージ伝達対象が認識されると、前記メッセージ伝達対象に対するメッセージ情報をスライド形式でディスプレイし、ユーザ命令によって前記スライド形式のメッセージ情報のうちの１つが選択されると、前記選択されたメッセージ情報のメッセージ内容をディスプレイするように前記ディスプレイ部を制御してよい。
【００２５】
そして、前記制御部は、顔認識、音声認識、暗証番号認識、指紋認識および眼球認識のうち少なくとも１つを用いて、前記メッセージ伝達対象を認識してよい。
【００２６】
なお、前記メッセージ生成ＵＩは、前記メッセージ伝達対象を選択するための複数の人物イメージを含み、前記制御部は、前記入力部を介して、前記メッセージ生成ＵＩの複数の人物イメージのうち少なくとも１つが選択されると、前記選択された少なくとも１つの人物イメージに対応する人物を前記メッセージ伝達対象として登録してよい。
【００２７】
そして、前記制御部は、音声認識または文字入力を通じて前記メッセージ伝達対象を登録してよい。
【００２８】
なお、前記メッセージ内容は、映像メッセージおよびテキストメッセージのうち、少なくとも１つを含んでよい。
【図面の簡単な説明】
【００２９】
【図１】本発明の一実施形態に係るディスプレイ装置の構成を概略に示すブロック図である。
【図２】本発明の一実施形態に係るディスプレイ装置の構成を詳細に示すブロック図である。
【図３】本発明の一実施形態に係るメッセージ生成のための多様なＵＩを示す図である。
【図４】本発明の一実施形態に係るメッセージ生成のための多様なＵＩを示す図である。
【図５】本発明の一実施形態に係るメッセージ生成のための多様なＵＩを示す図である。
【図６】本発明の一実施形態に係るメッセージ伝達のための多様なＵＩを示す図である。
【図７】本発明の一実施形態に係るメッセージ伝達のための多様なＵＩを示す図である。
【図８】本発明の一実施形態に係るメッセージ伝達のための多様なＵＩを示す図である。
【図９】本発明の一実施形態に係るメッセージ伝達のための多様なＵＩを示す図である。
【図１０】本発明の一実施形態に係るディスプレイ装置のメッセージ伝達方法を説明するためのフローチャートである。
【発明を実施するための形態】
【００３０】
以下に添付図面を参照しながら、本発明の好適な実施形態について詳細に説明する。
【００３１】
図１は、本発明の一実施形態に係るディスプレイ装置１００の構成を概略に示すブロック図である。図１に示すように、ディスプレイ装置１００は、ディスプレイ部１１０と、入力部１２０と、保存部１３０および制御部１４０を含む。一方、本発明の一実施形態に係るディスプレイ装置１００は、スマートテレビであってよいが、それは一実施形態に過ぎず、モニタやプロジェクションテレビ、タブレットパソコン、ノートパソコン、スマートフォンのような多様なディスプレイ装置で実現されてよい。
【００３２】
ディスプレイ部１１０は、制御部１４０の制御に従って、映像データを出力する。特に、ディスプレイ部１１０は、メッセージ情報を登録したりメッセージ情報を伝達するための多様なＵＩをディスプレイすることができる。なお、メッセージが映像メッセージまたはテキストメッセージの場合、ディスプレイ装置１００はメッセージをディスプレイすることができる。
【００３３】
入力部１２０は、ディスプレイ装置１００を制御するためのユーザ命令を入力される。このとき、入力部１２０は、メッセージ情報を登録したりメッセージ情報を確認するためのユーザ命令を入力されることができる。
【００３４】
このとき、入力部１２０はリモコンで実現されてよいが、それは一実施形態に過ぎず、タッチパネル、ポインティングデバイス等のようにディスプレイ装置１００を制御することができる別の入力装置で実現されてよい。
【００３５】
保存部１３０は、ディスプレイ装置１００を制御するための多様なデータおよびプログラムを保存する。特に、保存部１３０は、メッセージ内容およびメッセージ伝達対象を含むメッセージ情報を保存することができる。
【００３６】
制御部１４０は、入力部１２０を介して入力されたユーザ命令に従って、ディスプレイ装置１００の動作全般を制御する。特に、入力部１２０を介してユーザの予め設定された命令が入力されると、制御部１４０は、メッセージ生成ＵＩをディスプレイするようにディスプレイ部１１０を制御する。そして、制御部１４０は、メッセージ生成ＵＩを用いて入力されたユーザ命令に応じて、メッセージ内容およびメッセージ伝達対象を含むメッセージ情報を保存部１３０に登録する。そして、メッセージ伝達対象が認識されると、制御部１４０はメッセージ内容をディスプレイするようにディスプレイ部１１０を制御する。
【００３７】
具体的に、制御部１４０は、ユーザの予め設定された命令（例えば、特定ボタン、特定音声命令）が入力されると、メッセージ生成ＵＩをディスプレイするようにディスプレイ部１１０を制御することができる。このとき、メッセージ生成ＵＩには、メッセージ伝達対象を選択するための複数の人物イメージが含まれてよい。
【００３８】
そして、制御部１４０は、メッセージ生成ＵＩを通じて入力されたユーザ命令に従って、メッセージ情報を登録することができる。このとき、メッセージ情報には、メッセージ伝達対象、メッセージタイプおよびメッセージ内容が含まれてよい。例えば、入力部１２０を介してメッセージ生成ＵＩの複数の人物イメージのうち少なくとも１つが選択されると、制御部１４０は、選択された少なくとも１つの人物イメージに対応する人物をメッセージ伝達対象として登録することができる。一方、メッセージ生成ＵＩの複数の人物イメージのうち少なくとも１つを選択し、メッセージ伝達対象を登録することは一実施形態に過ぎず、音声認識および文字入力を通じてメッセージ伝達対象を登録することができる。
【００３９】
そして、制御部１４０は、登録されたメッセージ情報に含まれたメッセージ伝達対象を認識することができる。このとき、制御部１４０は、センサおよび検知部３００に含まれた構成要素によって、顔認識、音声認識、暗証番号認識、指紋認識および眼球認識のうち少なくとも１つを用いて、メッセージ伝達対象を認識することができる。
【００４０】
メッセージ伝達対象が認識されると、制御部１４０は認識されたメッセージ伝達対象に対するメッセージ内容を出力することができる。このとき、メッセージタイプがテキストまたは映像である場合、制御部１４０はディスプレイ部１１０を介してメッセージ内容を出力することができ、メッセージタイプが音声である場合、制御部１４０はオーディオ出力部（図示せず）を介してメッセージ内容を出力することができる。
【００４１】
なお、複数の人物が認識され、前記複数の人物の中にメッセージ伝達対象以外の人物が含まれた場合、制御部１４０はメッセージが存在するかを報知するガイドメッセージを先にディスプレイし、ガイドメッセージを通じてメッセージ出力に対するユーザ命令が入力され、メッセージ内容をディスプレイするようにディスプレイ部１１０を制御することができる。
【００４２】
なお、複数のメッセージ伝達対象が認識された場合、制御部１４０は複数のメッセージ伝達対象それぞれに対するメッセージ情報を選択することができるＵＩをディスプレイするように、ディスプレイ部１１０を制御することができる。そして、入力部１２０を介してＵＩのうちの１つのメッセージ情報が選択されると、制御部１４０は、選択されたメッセージ情報のメッセージ情報をディスプレイするようにディスプレイ部１１０を制御することができる。
【００４３】
なお、前記メッセージ情報を登録した後、映像（例えば、放送映像）がディスプレイされる間にメッセージ伝達対象が認識されると、制御部１４０は映像がディスプレイされるディスプレイ画面の一領域にメッセージがあることをガイドするガイドメッセージをディスプレイするようにディスプレイ部１１０を制御することができる。そして、ガイドメッセージを通じてメッセージ出力に対するユーザ命令が入力されると、制御部１４０は、メッセージ伝達対象に対するメッセージ内容をディスプレイするようにディスプレイ部１１０を制御することができる。
【００４４】
なお、メッセージ情報を登録した後、ディスプレイ装置の電源がオフされるとしても、メッセージ伝達対象を認識するための構成（例えば、撮影部、音声入力部等）の電源が印加される場合、メッセージ情報を登録してからディスプレイ装置の電源がオフされた後、前記メッセージ伝達対象が認識されると、制御部１４０は、メッセージ伝達対象に対するメッセージ情報をスライド形式でディスプレイし、ユーザ命令によって前記スライド形式のメッセージ情報のうちの１つが選択されると、選択されたメッセージ情報のメッセージ内容をディスプレイするようにディスプレイ部１１０を制御することができる。本発明の一実施形態において、ディスプレイ装置の検知部３００は、撮影部２６０と、音声入力部２７０と、入力部２８０と、保存部２５０および制御部２９０を含み、それに限定されずに、別のセンサおよび構成要素を含んでよい。一方、制御部１４０は、メッセージ伝達対象を認識する前であっても、メッセージ情報を登録した後、ディスプレイ装置１００の電源が最初にオンされると、登録された新規メッセージをディスプレイするようにディスプレイ部１１０を制御することができる。このとき、制御部１４０は、新規メッセージのメッセージ内容全体をディスプレイするのではなく、メッセージの要約情報（例えば、サムネールイメージ、メッセージを残した人、メッセージ伝達対象等）のみをディスプレイすることができる。
【００４５】
上述のようなディスプレイ装置１００によって、ユーザはディスプレイ装置を通じて家族構成員の間のコミュニケーション機能を行うことができるようになる。
【００４６】
以下においては、図２ないし図９を参照し、本発明について、より詳細に説明する。図２は、本発明の一実施形態に係るディスプレイ装置２００の構成を詳細に示すブロック図である。図２に示すように、ディスプレイ装置２００は、ディスプレイ部２１０と、通信部２２０と、映像受信部２３０と、オーディオ出力部２４０と、保存部２５０と、撮影部２６０と、音声入力部２７０と、入力部２８０および制御部２９０を含む。
【００４７】
一方、図２は、ディスプレイ装置２００が、通信機能、放送受信機能、動画再生機能、ディスプレイ機能等のように、多様な機能を備えた装置である場合を例えると、各種構成要素を総合的に示しているものである。よって、実施形態によっては、図２に示す構成要素のうちの一部は省略または変更されてよく、別の構成要素が更に追加されてよい。
【００４８】
ディスプレイ部２１０は、映像受信部２３０から受信した映像データをビデオ処理部（図示せず）で処理したビデオフレームおよびグラフィック処理部２９３で生成された多様な画面のうち少なくとも１つをディスプレイする。特に、ディスプレイ部２１０は、グラフィック処理部２９３によって生成されたメッセージ情報を登録したり伝達するためのＵＩをディスプレイすることができる。なお、メッセージ伝達対象が認識された場合、ディスプレイ部２１０はメッセージ伝達対象に対するメッセージ内容をディスプレイすることができる。
【００４９】
通信部２２０は、多様な通信方式によって多様な類型の外部機器または外部のサーバ２０と通信を行う構成である。通信部２２０は、Ｗｉ−Ｆｉチップ、ブルートゥースチップ、ＮＦＣチップ、無線通信チップ等のような多様な通信チップを含むことができる。このとき、Ｗｉ−Ｆｉチップ、ブルートゥースチップ、ＮＦＣチップは、それぞれＷｉ−Ｆｉ方式、ブルートゥース方式、ＮＦＣ方式で通信を行う。この中のＮＦＣチップは、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域の中で、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを利用する場合には、ＳＳＩＤおよびセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。
【００５０】
映像受信部２３０は、多様なソースを通じて映像データを受信する。例えば、映像受信部２３０は、外部の放送局から放送データを受信することができ、外部装置（例えば、ＤＶＤ装置）から映像データを受信することができる。
【００５１】
オーディオ出力部２４０は、オーディオ処理部（図示せず）で処理された各種オーディオデータだけでなく、各種報知音や音声メッセージを出力する構成である。なお、メッセージ情報が音声メッセージである場合、メッセージ伝達対象が認識されると、オーディオ出力部２４０はメッセージ伝達対象に対する音声メッセージを出力することができる。
【００５２】
保存部２５０は、ディスプレイ装置２００を駆動するための多様なモジュールを保存する。例えば、保存部２５０には、ベースモジュールと、センシングモジュールと、通信モジュールと、プレゼンテーションモジュールと、ウェブブラウザモジュールおよびサービスモジュールを含むソフトウェアが保存されてよい。このとき、ベースモジュールは、ディスプレイ装置２００に含まれた各ハードウェアから伝達される信号を処理して上位レイヤモジュールに伝達する基礎モジュールである。センシングモジュールは、各種センサから情報を収集し、収集された情報を分析および管理するモジュールとして、顔認識モジュールと、音声認識モジュールと、モーション認識モジュールおよびＮＦＣ認識モジュール等を含んでよい。プレゼンテーションモジュールは、ディスプレイ画面を構成するためのモジュールとして、マルチメディアコンテンツを再生して出力するためのマルチメディアモジュールと、ＵＩおよびグラフィック処理を行うＵＩレンダリングモジュールを含んでよい。通信モジュールは、外部と通信を行うためのモジュールである。ウェブブラウザモジュールは、ウェブブラウジングを行ってウェブサーバにアクセスするモジュールを意味する。サービスモジュールは、多様なサービスを提供するための各種アプリケーションを含むモジュールである。
【００５３】
上述のように、保存部２５０は、多様なプログラムモジュールを含むことができるが、各種プログラムモジュールは、ディスプレイ装置２００の種類および特性に応じて、一部省略されたり変形または追加されてよい。仮に、上述のディスプレイ装置２００がタブレットパソコンで実現された場合、ベースモジュールには、ＧＰＳ基盤の位置を判断するための位置判断モジュールを更に含み、センシングモジュールには、ユーザの操作を検知するセンシングモジュールを更に含んでよい。
【００５４】
撮影部２６０は、ディスプレイ装置２００の一側（例えば、上端ベゼル）に配置されてユーザを撮影する。特に、顔認識を用いてメッセージ伝達対象を認識する場合、撮影部２６０は撮影された少なくとも１つのユーザを含む映像を制御部２９０に出力することができる。このとき、撮影部２６０は、ディスプレイ装置２００と一体型だけでなく、分離した形態で実現されてよい。分離した撮影部２６０は、ディスプレイ装置２００と有線または無線ネットワークを通じて接続されてよい。
【００５５】
音声入力部２７０には、ユーザが発話（ｕｔｔｅｒａｎｃｅ）した音声が入力される。音声入力部２７０は、入力された音声信号を電気信号に変換して制御部２９０に出力する。例えば、音声入力部２７０は、マイクロフォンで実現されてよい。なお、音声入力部２７０は、ディスプレイ装置２００と一体型（ａｌｌ−ｉｎ−ｏｎｅ）だけでなく、分離した形で実現されてよい。分離した音声入力部２７０は、ディスプレイ装置２００と有線または無線ネットワークを通じて接続されてよい。
【００５６】
入力部２８０は、ディスプレイ装置２００の動作全般を制御するためのユーザ命令を受信する。このとき、入力部１２０は、リモコンで実現されてよいが、それは一実施形態に過ぎず、タッチパネル、ポインティングデバイス等のようにディスプレイ装置２００を制御することができる別の入力装置で実現されてよい。なお、入力部２８０は、メッセージを登録したり確認するためのユーザ命令を入力されることができる。
【００５７】
制御部２９０は、保存部２５０に保存された各種プログラムを用いてディスプレイ装置２００の動作全般を制御する。
【００５８】
制御部２９０は、図２に示すように、ＲＡＭ２９１と、ＲＯＭ２９２と、グラフィック処理部２９３と、メインＣＰＵ２９４と、第１ないしｎインターフェース２９５−１〜２９５−ｎおよびバス２９６を含む。このとき、ＲＡＭ２９１と、ＲＯＭ２９２と、グラフィック処理部２９３と、メインＣＰＵ２９４および第１ないしｎインターフェース２９５−１〜２９５−ｎ等は、バス２９６を通じて互いに接続されてよい。
【００５９】
ＲＯＭ２９２には、システムブートのための命令語セット等が保存される。ターンオン命令が入力されて電源が供給されると、メインＣＰＵ２９４は、ＲＯＭ２９２に保存された命令語に従って保存部２５０に保存されたＯ／ＳをＲＡＭ２９１にコピーし、Ｏ／Ｓを実行させてシステムをブートさせる。ブートが完了すると、メインＣＰＵ２９４は保存部２５０に保存された各種アプリケーションプログラムをＲＡＭ２９１にコピーし、ＲＡＭ２９１にコピーされたアプリケーションプログラムを実行させて各種動作を行う。
【００６０】
グラフィック処理部２９３は、演算部（図示せず）およびレンダリング部（図示せず）を用いてアイコンやイメージ、テキスト等のような多様な客体を含む画面を生成する。演算部は、入力部２８０から受信された制御命令を用いて画面のレイアウトに応じて各客体が表示される座標値、形態、大きさ、カラー等のような属性値を演算する。レンダリング部は、演算部で演算した属性値に基づいて客体を含む多様なレイアウトの画面を生成する。レンダリング部から生成された画面は、ディスプレイ部２１０のディスプレイ領域内に表示される。
【００６１】
メインＣＰＵ２９４は、保存部２５０にアクセスし、保存部２５０に保存されたＯ／Ｓを用いてブートを行う。そして、メインＣＰＵ２９４は、保存部２５０に保存された各種プログラムや、コンテンツ、データ等を用いて多様な動作を行う。
【００６２】
第１ないしｎインターフェース２９５−１〜２９５−ｎは、上述の各種構成要素と接続される。インターフェースのいずれか１つは、ネットワークを通じて外部装置と接続されるネットワークインターフェースであってよい。
【００６３】
特に、制御部２９０は、入力部２８０を介してユーザの予め設定された命令が入力されると、メッセージ生成ＵＩをディスプレイするようにディスプレイ部２１０を制御し、メッセージ生成ＵＩを用いて入力されたユーザ命令に応じて、メッセージ内容およびメッセージ伝達対象を含むメッセージ情報を保存部２５０に登録し、メッセージ伝達対象が認識されると、メッセージ内容をディスプレイするようにディスプレイ部２１０を制御する。
【００６４】
具体的に、ユーザの予め設定された命令が入力されると、制御部２９０はメッセージ生成ＵＩをディスプレイするようにディスプレイ部２１０を制御することができる。例えば、メッセージ生成アプリケーションに対応するアイコンが選択されたり、予め設定された単語（例えば、メッセージ生成）が含まれたユーザ音声命令が入力されたり、リモコンに備えられた予め設定されたボタン（例えば、メッセージ生成ボタン）が選択されると、制御部２９０は、図３に示すようなメッセージ生成ＵＩをディスプレイすることができる。
【００６５】
メッセージ生成ＵＩ３１０およびポインタ３２０を用いて、“メッセージを生成する”命令が入力されると、制御部２９０は、図４に示すようなメッセージ伝達対象を選択するためのＵＩ４１０をディスプレイすることができる。このとき、メッセージ伝達対象を伝達するためのＵＩ４１０は、複数の人物イメージを含むことができる。例えば、メッセージ伝達対象を伝達するためのＵＩ４１０には、“父”に対応するイメージ、“母”に対応するイメージ、“長男”に対応するイメージ、“次男”に対応するイメージおよび“娘”に対応するイメージを含んでよい。
【００６６】
図４に示すようなＵＩ４１０を用いてユーザ命令が入力されると、制御部２９０は少なくとも一人のメッセージ伝達対象を選択することができる。例えば、入力部４１０を介して、“父”、“長男”および“次男”に対応するイメージが選択された場合、制御部２９０は“父”、“長男”および“次男”をメッセージ伝達対象に選択することができる。
【００６７】
なお、制御部２９０は、予め保存された人物イメージ全てをメッセージ伝達対象として選択することができる。例えば、制御部２９０は、家族全員をメッセージ伝達対象に選択することができる。
【００６８】
一方、上述の実施形態においては、メッセージ生成ＵＩ４１０にディスプレイされた人物イメージを用いてメッセージ伝達対象を選択するものとして説明したが、それは一実施形態に過ぎず、音声認識または文字入力を通じてメッセージ伝達対象を選択することができる。例えば、ユーザが“父”、“長男”および“次男”を発話した場合、制御部２９０は音声入力部２７０を介して入力されたユーザの音声を認識し、メッセージ伝達対象を選択することができる。または、ユーザが直接リモコンまたはキーボードを用いて、“父”、“長男”、“次男”を入力した場合、制御部２９０はメッセージ伝達対象を選択することができる。
【００６９】
そして、メッセージ伝達対象を伝達するためのＵＩ４１０を用いて少なくとも一人のメッセージ伝達対象が選択されると、制御部２９０は、図５に示すように、メッセージタイプおよびメッセージ内容を入力するためのＵＩ５１０をディスプレイすることができる。例えば、ユーザは、ＵＩ５１０を通じてメッセージのタイプとして、映像メッセージ、音声メッセージおよびテキストメッセージのうち１つを選択することができる。なお、映像メッセージが選択された場合、制御部２９０は撮影部２６０によって撮影された映像をＵＩ５１０の一領域５２０にディスプレイすることができ、テキストメッセージが選択された場合、制御部２９０はユーザによって入力されたテキストをＵＩ５１０の一領域５２０にディスプレイすることができる。
【００７０】
図３ないし図５に示すようなメッセージ生成ＵＩ３１０、４１０、５１０を用いて、メッセージ伝達対象、メッセージ内容、メッセージタイプを選択した場合、制御部２９０はメッセージ伝達対象、メッセージ内容、メッセージタイプを含むメッセージ情報を登録して保存部２５０に保存することができる。
【００７１】
一方、本発明の一実施形態においては、メッセージ情報がディスプレイ装置２００の内部の保存部２５０に保存されるものとして説明したが、それは一実施形態に過ぎず、ディスプレイ装置２００と接続された外付けメモリ、または外部のサーバ２０に保存されてよい。
【００７２】
メッセージ情報が登録された後、最初にディスプレイ装置２００の電源がオンされた場合、制御部２９０は、図６に示すように、電源がオンされる前に登録された新規メッセージ６１０（登録はされているが、メッセージ伝達対象によって確認されていないメッセージ）をディスプレイすることができる。このとき、制御部２９０は、メッセージ内容を全てディスプレイするのではなく、メッセージの要約情報（例えば、サムネール、メッセージ伝達対象、メッセージ作成者等）を含むことができる。
【００７３】
なお、メッセージ伝達対象者が認識されると、制御部２９０は認識されたメッセージ伝達対象者へのメッセージを出力することができる。このとき、メッセージのタイプが映像またはテキストである場合、制御部２９０はディスプレイ部２１０を介してメッセージ内容を出力することができ、メッセージのタイプがオーディオである場合、制御部２９０はオーディオ出力部２４０を介してメッセージ内容を出力することができる。
【００７４】
なお、１つのメッセージ情報に対してメッセージ伝達対象が複数に登録された場合、複数のメッセージ伝達対象のうち一人が認識されると、制御部２９０は、登録されたメッセージ内容をディスプレイするようにディスプレイ部２１０を制御することができる。例えば、１つのメッセージ情報に対して、メッセージ伝達対象者として家族全員を登録した場合、家族の一人が認識されると、制御部２９０は登録されたメッセージ内容をディスプレイするようにディスプレイ部２１０を制御することができる。
【００７５】
一方、制御部２９０は、多様な方法を用いて、メッセージ伝達対象者を認識することができる。例えば、制御部２９０は、撮影部２６０によって撮影された人物の顔を認識し、メッセージ伝達対象者を認識することができる。具体的に、制御部２９０は、撮影部２６０によって撮影されたユーザの顔の対称的な構図、顔立ち（例えば、目、鼻、口の形および位置）、髪の毛、眼の色、顔の筋肉の動きのうち、少なくとも１つを分析して顔の特徴を抽出した後、予め保存された映像データと比較し、ユーザの顔を認識することができる。別の実施形態として、制御部２９０は、音声入力部２７０に入力されたユーザ音声を分析し、メッセージ伝達対象者を認識することができる。具体的に、制御部２９０は、音声入力部２７０を介して入力されたユーザ音声データをデータベースに保存された音声データと比較し、メッセージ伝達対象者を認識することができる。その他に、制御部２９０は、暗証番号認識、指紋認識、眼球認識等のような多様な方法でユーザを認識することができる。
【００７６】
特に、メッセージ伝達対象に対する複数のメッセージが備えられた場合、制御部２９０は図７に示すように、複数のメッセージのうちの１つを選択するためのＵＩ７１０をディスプレイするようにディスプレイ部２１０を制御することができる。
【００７７】
なお、複数の人物が認識され、複数の人物の中にメッセージ伝達対象意外の人物が含まれた場合、制御部２９０はメッセージが存在するかを報知するガイドメッセージを先にディスプレイするようにディスプレイ部２１０を制御することができる。例えば、撮影部２６０を介して撮影された映像に複数の人物が含まれ、複数の人物のうちの一部がメッセージ伝達対象ではない場合、制御部２９０は、図８に示すように、メッセージの存在および確認有無をガイドするガイドメッセージ８１０をディスプレイするようにディスプレイ部２１０を制御することができる。
【００７８】
そして、ガイドメッセージ８１０を通じてメッセージ出力に対するユーザ命令が入力されると、制御部２９０はメッセージ内容をディスプレイするようにディスプレイ部２１０を制御することができる。
【００７９】
なお、複数のメッセージ伝達対象が認識された場合、制御部２９０は、図９に示すように、複数のメッセージ伝達対象のそれぞれに対するメッセージ情報を選択することができるＵＩ９１０をディスプレイすることができる。そして、入力部２８０を介してＵＩ９１０のうちの１つのメッセージ情報が選択されると、制御部２９０は選択されたメッセージ情報のメッセージ内容をディスプレイするようにディスプレイ部２１０を制御することができる。例えば、図９に示すＵＩのうち、“○○様からのメッセージ”を選択した場合、制御部２９０は“○○様”からのメッセージ内容をディスプレイするようにディスプレイ部２１０を制御することができる。
【００８０】
なお、メッセージ情報を登録した後、映像（例えば、放送映像）がディスプレイされる間にメッセージ伝達対象が認識されると、制御部２９０は映像がディスプレイされるディスプレイ画面の一領域にメッセージがあることをガイドするガイドメッセージをディスプレイすることができる。例えば、放送映像がディスプレイされる間にメッセージ伝達対象が認識されると、制御部２９０は図８に示すようなガイドメッセージ８１０をディスプレイすることができる。しかし、図８に示すように、ガイドメッセージ８１０がディスプレイ画面の中央にポップアップウィンドウ形態でディスプレイされることは一実施形態に過ぎず、ディスプレイ画面の一側（例えば、上端）にバー形態でディスプレイされてよい。
【００８１】
そして、ガイドメッセージ８１０を介してメッセージ出力に対するユーザ命令が入力されると、制御部２９０は、メッセージ内容をディスプレイするようにディスプレイ部２１０を制御することができる。
【００８２】
なお、メッセージ情報を登録した後にディスプレイ装置２００の電源がオフされた場合、メッセージ伝達対象が認識されると、制御部２９０は、メッセージ伝達対象に対するメッセージ情報をスライド形式でディスプレイするようにディスプレイ部２１０を制御することができる。そして、入力部２８０を介して入力されたユーザ命令によってスライド形式のメッセージ情報のうち１つが選択されると、制御部２９０は選択されたメッセージ情報のメッセージ内容をディスプレイするようにディスプレイ部２１０を制御することができる。このとき、ディスプレイ装置２００は、メッセージ伝達対象を認識するために、電源が消えるとしてもメッセージ伝達対象を認識するための構成（例えば、撮影部２６０と、音声入力部２７０および制御部２９０）には電源を印加することができる。
【００８３】
上述のようなディスプレイ装置２００によって、家族構成員の内部間のコミュニケーションのためのメッセージ伝達機能が提供されてよい。特に、家族構成員以外の別の人がメッセージ内容を確認することができないようにすることで、家族間の親密なコミュニケーションが可能になる。
【００８４】
以下においては、図１０を参照し、ディスプレイ装置２００のメッセージ伝達方法について詳細に説明する。
【００８５】
まず、ディスプレイ装置２００は、予め設定された命令が入力されたか否かを判断する（Ｓ１０１０）。このとき、予め設定された命令は、メッセージ生成ＵＩをディスプレイするためのユーザ命令として、メッセージ生成アプリケーションに対応するアイコンを選択するユーザ命令、予め設定された単語（例えば、メッセージ生成）が含まれたユーザ音声命令およびリモコンに備えられた予め設定されたボタンを選択するユーザ命令のうちの１つであってよい。
【００８６】
予め設定された命令が入力されると（Ｓ１０１０−Ｙ）、ディスプレイ装置２００はメッセージ生成ＵＩをディスプレイする（Ｓ１０２０）。このとき、メッセージ生成ＵＩには、メッセージ伝達対象を選択するための複数の人物イメージを含むことができる。
【００８７】
そして、ディスプレイ装置２００は、メッセージ生成ＵＩを用いたユーザ命令に従って、メッセージ情報を登録する（Ｓ１０３０）。具体的に、ディスプレイ装置２００は、メッセージ生成ＵＩの複数の人物イメージを用いて、少なくとも１つのメッセージ伝達対象を選択することができ、メッセージ生成ＵＩを用いてメッセージ種類（例えば、映像、音声、テキスト）およびメッセージ内容を生成することができる。
【００８８】
メッセージ情報が登録された後、ディスプレイ装置２００はメッセージ伝達対象を認識する（Ｓ１０４０）。このとき、ディスプレイ装置２００は、顔認識、音声認識、指紋認識、暗証番号認識および眼球認識等のような多様な方法を用いて、メッセージ伝達対象を認識することができる。
【００８９】
メッセージ伝達対象が認識されると（Ｓ１０４０−Ｙ）、ディスプレイ装置２００はメッセージ内容を出力する（Ｓ１０５０）。このとき、メッセージのタイプが映像またはテキストの場合、ディスプレイ装置２００はディスプレイ部２１０を介してメッセージ内容を出力し、メッセージタイプが音声である場合、ディスプレイ装置２００はオーディオ出力部２４０を介してメッセージ内容を出力することができる。
【００９０】
上述のようなメッセージ伝達方法によって、ユーザはディスプレイ装置を通じて家族構成員間のコミュニケーション機能を行うことができるようになる。
【００９１】
なお、上述の多様な実施形態に係るディスプレイ装置のメッセージ伝達方法は、プログラムで実現されてディスプレイ装置に提供されてよい。
【００９２】
具体的に、ユーザの予め設定された命令が入力されると、メッセージ生成ＵＩをディスプレイするステップと、前記メッセージ生成ＵＩを用いて、メッセージ内容およびメッセージ伝達対象を含むメッセージ情報を登録するステップと、前記メッセージ伝達対象が認識されると、前記メッセージ内容を出力するステップとを含むプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【００９３】
非一時的な読み取り可能な媒体とは、レジスタやキャッシュ、メモリ等のような短い間データを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００９４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９５】
２０  サーバ
１００、２００  ディスプレイ装置
１１０、２１０  ディスプレイ部
１２０、２８０  入力部
１３０、２５０  保存部
１４０  制御部
２２０  通信部
２３０  映像受信部
２４０  オーディオ出力部
２６０  撮影部
２７０  音声入力部
２９０  制御部
２９１  ＲＡＭ
２９２  ＲＯＭ
２９３  グラフィック処理部
２９４  メインＣＰＵ
２９５−１、２９５−ｎ  インターフェース
３００  検知部
３１０、４１０、５１０、７１０、９１０  ＵＩ
３２０  ポインタ
５２０  ＵＩ５１０の一領域
６１０  新規メッセージ
８１０  ガイドメッセージ
【図１】
2014099175.tif 000003
【図２】
2014099175.tif 000004
【図３】
2014099175.tif 000005
【図４】
2014099175.tif 000006
【図５】
2014099175.tif 000007
【図６】
2014099175.tif 000008
【図７】
2014099175.tif 000009
【図８】
2014099175.tif 000010
【図９】
2014099175.tif 000011
【図１０】
2014099175.tif 000012